(57)【要約】【課題】本技術は、ケースを取り外すことなく、外部装置を装着可能な端末ケースを提供する。【解決手段】本技術に係る端末ケースは、端末に備えられるディスプレイが露出可能な状態で、当該端末が収容される収容部と、ユーザによって把持される把持部を備える把持装置が装着される装着部と、前記端末と前記把持装置との間で通信を行う通信部と、を備える。【選択図】図１
2020090050.tif 000002
【特許請求の範囲】
【請求項１】
少なくとも一つの面に開口を有し、端末が収容される収容部と、
ユーザによって把持される把持部を備える把持装置が装着される被装着部と、
前記端末と前記把持装置との間で通信を行う通信部と、を備える、端末ケース。
【請求項２】
前記被装着部は、前記端末ケースの一側、及び前記端末ケースの前記一側とは逆側である他側に設けられ、前記把持装置に備えられる２の把持部のそれぞれは、前記一側の前記被装着部又は前記他側の前記被装着部の少なくともいずれかに装着される、請求項１に記載の端末ケース。
【請求項３】
前記一側から前記他側に向かう方向において、前記被装着部の前記開口を有する面側の面の長さは、前記把持装置に備えられて前記被装着部を装着する装着部の前記開口を有する面側の面の長さ以上である、請求項２に記載の端末ケース。
【請求項４】
前記被装着部は、前記把持装置に備えられる複数の掛止片が掛止される複数の掛止受部を有する、請求項１に記載の端末ケース。
【請求項５】
前記被装着部は、前記端末を連結する連結部を備える、請求項１に記載の端末ケース。
【請求項６】
前記連結部は、前記端末と前記把持装置との間の信号の送受信を行う、請求項５に記載の端末ケース。
【請求項７】
前記連結部は、電力を前記端末へ供給する、請求項５に記載の端末ケース。
【請求項８】
ユーザによって把持される第１把持部と、
前記ユーザによって把持され、前記第１把持部と異なる第２把持部と、
を備え、
前記第１把持部及び前記第２把持部は、端末を収容する端末ケースを装着する装着部と、前記端末ケースを介して前記端末と通信を行う通信部と、を備える、把持装置。
【請求項９】
前記第１把持部に備えられた第１装着部は、前記端末ケースの一側に備えられた第１被装着部を装着し、
前記第２把持部に備えられた第２装着部は、前記端末ケースの前記一側とは逆側である他側に備えられた第２被装着部を装着する、請求項８に記載の把持装置。
【請求項１０】
前記端末ケースは、開口を有する面を備え、
前記第１装着部が前記第１被装着部を装着し、前記第２装着部が前記第２被装着部を装着したときに、
前記第１装着部は、前記端末ケースの前記開口を有する面側に位置する第１延出部と、前記開口を有する面とは逆の面側に位置する第２延出部と、を備え、
前記第２装着部は、前記端末ケースの前記開口を有する面側に位置する第３延出部と、前記開口を有する面とは逆の面側に位置する第４延出部と、を備える、請求項９に記載の把持装置。
【請求項１１】
前記第１延出部は、前記第３延出部が位置する方向に、前記端末ケースの前記開口を有する面に沿って延出しており、
前記第２延出部は、前記第４延出部が位置する方向に、前記端末ケースの前記開口を有する面とは逆側の面に沿って延出しており、
前記第３延出部は、前記第１延出部が位置する方向に、前記端末ケースの前記開口を有する面に沿って延出しており、
前記第４延出部は、前記第２延出部が位置する方向に、前記端末ケースの前記開口を有する面とは逆側の面に沿って延出している、請求項１０に記載の把持装置。
【請求項１２】
前記第１延出部の延出方向における前記第１延出部の長さは、当該延出方向における前記第１被装着部の長さ以下であり、
前記第３延出部の延出方向における前記第３延出部の長さは、当該延出方向における前記第２被装着部の長さ以下である、請求項１１に記載の把持装置。
【請求項１３】
前記端末ケースの前記開口を有する面と、前記端末ケースの前記開口を有する面とは逆の面とは平行であり、
前記第２延出部の延出方向における前記第２延出部の長さは、前記第１延出部の延出方向における前記第１延出部の長さよりも長い、請求項１１に記載の把持装置。
【請求項１４】
前記装着部は、前記端末ケースに備えられる掛止受部に掛止される複数の掛止片を有する、請求項８に記載の把持装置。
【請求項１５】
前記掛止片を動作させるための動作ボタンを更に備え、
複数の前記掛止片のうちの第１掛止片は、前記動作ボタンによって可動する、請求項１４に記載の把持装置。
【請求項１６】
前記ユーザによって用いられて前記端末を操作する操作部を更に有する、請求項８に記載の把持装置。
【請求項１７】
前記端末ケースを介して電力を前記端末へ供給する電力供給部を更に備える、請求項８に記載の把持装置。
【請求項１８】
端末を収容する端末ケースと、ユーザによって把持される把持装置と、を備え、
前記端末ケースは、
少なくとも一つの面に開口を有し、端末が収容される収容部と、
前記ユーザによって把持される把持部を備える把持装置が装着される被装着部と、
前記端末と前記把持装置との間で通信を行う通信部と、
を備え、
前記把持装置は、
前記ユーザによって把持される第１把持部と、
前記ユーザによって把持され、前記第１把持部と異なる第２把持部と、
を備え、
前記第１把持部及び前記第２把持部は、端末を収容する端末ケースを装着する装着部と、前記端末ケースを介して前記端末と通信を行う通信部と、を備える、情報処理装置。
【発明の詳細な説明】
【技術分野】
【０００１】
本開示は、端末ケース、把持装置及び情報処理装置に関する。
【背景技術】
【０００２】
コミュニケーション、映像視聴、又はゲーム等の用途にスマートフォン、又はタブレット型端末等の端末が広く利用されている。端末のユーザは、移動中又は外出先において当該端末を上記用途に利用している。そのため、ユーザが端末を快適に利用できるように、端末に関する種々の開発が行われている。【０００３】
例えば、以下の特許文献１には、キー操作性、特にゲーム機能を代表とするエンターテイメント機能を実行する際のキー操作を改善し、使い勝手を向上させることのできる携帯情報装置端末が開示されている。
【先行技術文献】
【特許文献】
【０００４】
【特許文献１】特開２００７−１５１０１４号公報
【発明の概要】
【発明が解決しようとする課題】
【０００５】
特許文献１に開示された携帯情報装置端末は、その表示部筐体を本体部筐体に対して水平に回動し、使用用途に応じて、携帯情報装置端末の態様を変更するものである。【０００６】
ところで、スマートフォン、又はタブレット型端末などの端末のユーザは、その端末にケースを装着して使用する場合がある。また、端末に別の装置を装着させる場合は、端末に装着させていたケースを取り外す必要があった。そのため、ケースを取り外すことなく、外部装置を装着可能な端末ケースの提供が求められている。
【課題を解決するための手段】
【０００７】
本開示によれば、少なくとも一つの面に開口を有し、端末が収容される収容部と、ユーザによって把持される把持部を備える把持装置が装着される被装着部と、前記端末と前記把持装置との間で通信を行う通信部と、を備える端末ケースが提供される。【０００８】
また、本開示によれば、ユーザによって把持される第１把持部と、前記ユーザによって把持され、前記第１把持部と異なる第２把持部と、を備え、前記第１把持部及び前記第２把持部は、端末を収容する端末ケースを装着する装着部と、前記端末ケースを介して前記端末と通信を行う通信部と、を備える、把持装置が提供される。【０００９】
また、本開示によれば、端末を収容する端末ケースと、ユーザによって把持される把持装置と、を備え、前記端末ケースは、少なくとも一つの面に開口を有し、端末が収容される収容部と、前記ユーザによって把持される把持部を備える把持装置が装着される被装着部と、前記端末と前記把持装置との間で通信を行う通信部と、を備え、前記把持装置は、前記ユーザによって把持される第１把持部と、前記ユーザによって把持され、前記第１把持部と異なる第２把持部と、を備え、前記第１把持部及び前記第２把持部は、端末を収容する端末ケースを装着する装着部と、前記端末ケースを介して前記端末と通信を行う通信部と、を備える、情報処理装置が提供される。
【図面の簡単な説明】
【００１０】
【図１】同実施形態に係る情報処理装置の一例を示す斜視図である。
【図２】図１に示した情報処理装置の分解斜視図である。
【図３】本開示の一実施形態に係る端末ケースの一例を示す斜視図である。
【図４】同実施形態に係る端末ケースの一例を示す分解斜視図である。
【図５】同実施形態に係る端末ケースの一例を示す斜視図である。
【図６】本開示の一実施形態に係る把持装置の一例である左コントローラの六面図である。
【図７】同実施形態に係る把持装置の一例である右コントローラの六面図である。
【図８】本開示の一実施形態に係る情報処理装置が適用される情報処理システムのブロック図である。
【図９】同実施形態に係る情報処理装置のブロック図である。
【図１０】同実施形態に係る情報処理装置のハードウェア構成の一例を示す図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、図中の各構成要素の比率、寸法は、実際の各構成要素の比率、寸法を表すものではない。
【００１２】
なお、説明は以下の順序で行うものとする。
＜１．情報処理装置１の外観構成例＞
＜２．情報処理装置１の装着例＞
＜３．情報処理装置１の機能構成例＞
＜４．情報処理装置１の動作例＞
＜５．ハードウェア構成例＞
＜６．結び＞
【００１３】
＜１．情報処理装置１の外観構成例＞
まず、図１〜図９を参照して、本実施形態に係る情報処理装置１の外観構成例について説明する。図１は、本開示の一実施形態に係る情報処理装置の一例を示す斜視図である。図２は、図１に示した情報処理装置の分解斜視図である。図３は、本実施形態に係る端末ケースの一例を示す斜視図である。図４は、本実施形態に係る端末ケースの一例を示す分解斜視図である。図５は、本実施形態に係る端末ケースの一例を示す斜視図である。図６は、本開示の一実施形態に係る把持装置の一例である左コントローラの六面図である。図７は、本実施形態に係る把持装置の一例である右コントローラの六面図である。
【００１４】
情報処理装置１は、端末１０を収容する端末ケース２０、及びコントローラ３０を備える。情報処理装置１は、図１に示したように、コントローラ３０を構成する左コントローラ３００及び右コントローラ４００が端末ケース２０の両側に装着された構造である。また、コントローラ３０は、図２に示したように、左コントローラ３００と右コントローラ４００とが、分離した構造である。なお、コントローラ３０は、本開示の把持装置の一例であり、左コントローラ３００は、本開示の第１把持部の一例であり、右コントローラ４００は、本開示の第２把持部の一例である。
【００１５】
＜１．１．端末１０の外観構成例＞
情報処理装置１が適用される端末１０は、ディスプレイを有する略板状の端末である。また、端末１０は、外部の機器と接続可能な端子を備えるものである。端末１０は、例えば、タッチデバイスであり、具体的には、タブレット型端末又はスマートフォンが適用されうる。端末１０は、各種プログラムを実行し、ディスプレイにプログラムに基づいた画像を表示する。端末１０は、カメラを備えていてもよく、端末１０のカメラにて撮影するためのレンズ、又は照明を備えていてもよい。
【００１６】
＜１．２．端末ケース２０の外観構成例＞
端末ケース２０は、図３に示したように、収容部材２１０と、蓋部材２２０とで形成され、端末ケース２０の一つの面に開口２３０を有する。開口２３０は、収容部材２１０と蓋部材２２０とによって形成されている。また、端末ケース２０は、左側（Ｘ軸負方向側）に第１被装着部２４０、及び端子２５０を備え、右側（Ｘ軸正方向側）に第２被装着部２６０、端子２７０、及び端子２８０を備えている。また、端末ケース２０は、第２被装着部２６０の内側面から収容空間２１１に突出するように連結部２９０を備えている。第１被装着部２４０及び第２被装着部２６０は、本開示に係る被装着部の一例に係るものである。
【００１７】
本実施形態においては、端末ケース２０は、略直方体状であるものとする。また、本実施形態において、端末ケース２０の開口２３０を有する面を「正面」といい、正面とは逆側の面を「背面」という。また、本実施形態においては、端末ケース２０の正面における長手方向（図３に示したＸ軸方向）を「左右方向」といい、端末ケース２０の正面における長手方向に垂直な方向（図３に示したＹ軸方向）を「上下方向」といい、正面に垂直な方向（図３に示したＺ軸方向）を「高さ方向」ということとする。そして、Ｘ軸の正方向を右方向とし、Ｘ軸の負方向を左方向とし、Ｙ軸の正方向を上方向とし、Ｙ軸の負方向を下方向とし、Ｚ軸の正方向を正面方向とし、Ｚ軸の負方向を背面方向とする。
【００１８】
収容部材２１０は、直方体状であり、端末１０の形状に応じた形状の収容空間２１１を有している。収容部材２１０は、図４に示したように、左側の領域における上方部と下方部に、切り欠き２１２を有している。収容空間２１１は、本開示に係る収容部の一例に係るものである。収容空間２１１の高さ方向に垂直な面の面積は、開口２３０の面積より小さい。端末１０は、切り欠き２１２を有する側から収容空間２１１に挿入される。また、収容部材２１０は、掛止受部２１３、レンズ孔２１４、照明孔２１５及び配線（図示せず。）を備える。
【００１９】
掛止受部２１３は、切り欠き２１２の下部であって、収容部材２１０の内面に設けられる。掛止受部２１３に、蓋部材２２０に設けられた掛止部２２１が掛止されることで、収容部材２１０と蓋部材２２０とが固定され、切り欠き２１２が蓋部材２２０によって閉じられる。
【００２０】
レンズ孔２１４は、端末１０のレンズが設けられた位置に対応する位置に設けられ、例えば、収容部材２１０の背面に設けられる。ユーザは、レンズ孔２１４を介して、端末１０に備えられるカメラによって、撮影を行うことが可能となる。なお、レンズ孔２１４は、図示された位置以外の位置に設けられてもよく、また、レンズ孔２１４は、端末１０がレンズを備えていない場合、収容部材２１０に備えられなくともよい。
【００２１】
照明孔２１５は、端末１０の照明が設けられた位置に対応する位置に設けられ、例えば、収容部材２１０の背面側に設けられる。ユーザは、照明孔２１５を介して、端末１０に備えられる照明によって、撮影対象を照明しながら撮影を行うことが可能となる。なお、照明孔２１５は、図示された位置以外の位置に設けられてもよく、また、照明孔２１５は、端末１０が照明を備えていない場合、収容部材２１０に備えられなくともよい。
【００２２】
配線は、収容部材２１０の内部に配置されており、端子２５０と端子２７０とを電気的に接続している。配線は、端子２５０と端子２７０とを電気的に接続することができるものであれば特段制限されないが、配線には、例えば、フレキシブルフラットケーブルが使用される。
【００２３】
なお、本実施形態における収容部材は、図示の態様に限定されず、例えば、その外形が、多角形柱状、円柱状又は球状等、種々の形状であってもよい。
【００２４】
蓋部材２２０は、図３に示したように、端末ケース２０の正面における左側の領域に配置される。蓋部材２２０は、後述する第１被装着部２４０の一部を構成する。蓋部材２２０は、後述する第２被装着部２６０の形状に対応した形状である。蓋部材２２０は、図４に示したように、掛止受部２１３に掛止される掛止部２２１を有する。
【００２５】
掛止部２２１は、蓋部材２２０の長手方向（上下方向）における両端部において、それぞれ上下方向に突出するように設けられている。掛止部２２１は、掛止受部２１３に掛止されることで、切り欠き２１２が蓋部材２２０によって閉鎖される。そして、収容部材２１０と蓋部材２２０とが固定される。
【００２６】
開口２３０は、先立って説明したように、端末ケース２０の一つの面に形成される。開口２３０の面積は、端末１０のディスプレイを有する面の面積より小さい。これにより、端末１０が、開口２３０を通じて端末ケース２０から脱離することが防止される。
【００２７】
第１被装着部２４０は、端末ケース２０の収容空間２１１より左側の部分に相当する。第１被装着部２４０には、左コントローラ３００が装着される。第１被装着部２４０は、掛止受部２４１、掛止受部２４２、及び位置決め部２４３を有する。
【００２８】
図３に示した第１被装着部２４０の左右方向の長さｄ１は、図６に示した、左コントローラ３００の第１延出部３３１の左右方向の長さｄ３以上である。第１被装着部２４０の左右方向の長さｄ１が、第１延出部３３１の左右方向の長さｄ３以上であることにより、第１延出部３３１が端末１０のディスプレイの表示を遮ることが防止される。
【００２９】
掛止受部２４１は、第１被装着部２４０の左側の側面内の上部に設けられる。掛止受部２４１に、図６に示した、左コントローラ３００の装着部３３０に備えられる可動爪部３３３が掛止される。掛止受部２４１は、可動爪部３３３を掛止することができる形状であれば特段制限されない。
【００３０】
掛止受部２４２は、第１被装着部２４０の左側の側面内の下部に設けられる。掛止受部２４２に、図６に示した、左コントローラ３００の装着部３３０に備えられる爪部３３４が掛止される。掛止受部２４２は、爪部３３４を掛止することができる形状であれば特段制限されない。
【００３１】
位置決め部２４３は、第１被装着部２４０の左側面の中央部に設けられる。位置決め部２４３は、図６に示した、左コントローラ３００の位置決め部３３５と嵌め合わされる。これにより、端末ケース２０と左コントローラ３００との位置が決定される。位置決め部２４３の形状は、位置決め部２４３と位置決め部３３５とが嵌合するように、位置決め部３３５に対応した形状である。例えば、図３では、位置決め部２４３は、円形の凹部となっている。
【００３２】
第２被装着部２６０は、図５に示したように、端末ケース２０の収容空間２１１より右側（Ｘ軸正方向側）の部分に相当する。第２被装着部２６０には、右コントローラ４００が装着される。第２被装着部２６０は、図５に示したように、掛止受部２６１、掛止受部２６２、及び位置決め部２６３を有する。
【００３３】
第２被装着部２６０の左右方向の長さｄ２は、図７に示した、右コントローラ４００の第３延出部４３１の左右方向の長さｄ４以上であってよい。第２被装着部２６０の左右方向の長さｄ２が、第３延出部４３１の左右方向の長さｄ４以上であることにより、第３延出部４３１が端末１０のディスプレイの表示を遮ることが防止される。
【００３４】
掛止受部２６１は、第２被装着部２６０の右側の側面内の上部に設けられる。掛止受部２６１に、図７に示した、右コントローラ４００の装着部４３０に備えられる可動爪部４３３が掛止される。掛止受部２６１は、可動爪部４３３の形状に応じた形であってよい。
【００３５】
掛止受部２６２は、第２被装着部２６０の右側の側面内の下部に設けられる。掛止受部２６２に、図７に示した、右コントローラ４００の装着部４３０に備えられる爪部４３４が掛止される。掛止受部２６２は、爪部４３４の形状に応じた形であってよい。
【００３６】
位置決め部２６３は、第２被装着部２６０の右側面の中央部に設けられる。位置決め部２６３は、図７に示した、右コントローラ４００の位置決め部４３５と嵌め合わされる。これにより、端末ケース２０と右コントローラ４００との位置が決定される。位置決め部２６３の形状は、位置決め部２６３と位置決め部４３５とが嵌合するように、位置決め部４３５に対応した形状である。位置決め部２６３は、例えば、円形の凹部である。
【００３７】
第１被装着部２４０と第２被装着部２６０とは、略対称形である。これにより、ユーザは、左コントローラ３００及び右コントローラ４００が端末ケース２０に装着された情報処理装置１を安定して把持することが可能となる。
【００３８】
端子２５０は、端末ケース２０における左側の面に備えられている。言い換えると、端子２５０は、第１被装着部２４０における左側の面に備えられている。端子２５０は、図６に示した左コントローラ３００の端子３４０と接続される。そのため、端子２５０の形状は、端子３４０に対応する形状である。端子２５０と、左コントローラ３００の端子３４０とが接続されることで、端末ケース２０は、左コントローラ３００との間で信号の送受信を行う。
【００３９】
端子２７０は、端末ケース２０における右側の面に備えられている。言い換えると、端子２７０は、第２被装着部２６０における右側の面に備えられている。端子２７０は、図７に示した右コントローラ４００の端子４４０と接続される。そのため、端子２７０の形状は、端子４４０に対応する形状である。端子２７０と、右コントローラ４００の端子４４０とが接続されることで、端末ケース２０は、右コントローラ４００との間で信号の送受信を行う。
【００４０】
端子２８０は、端末ケース２０における右側の面に備えられている。言い換えると、端子２８０は、第２被装着部２６０における右側の面に備えられている。図５では、端子２８０は、第２被装着部２６０の右側の面における下部（Ｙ軸負方向側）に備えられる。端子２８０は、図７に示した右コントローラ４００の端子４５０と接続される。そのため、端子２８０の形状は、端子４５０に対応する形状である。端子２８０と、右コントローラ４００の端子４５０とが接続されることで、端末ケース２０は、右コントローラ４００との間で信号の送受信を行う。
【００４１】
端子２５０、端子２７０、及び端子２８０は、端末ケース２０から突出していない形状である。例えば、端子３４０、端子４４０、又は端子４５０には、凸状の接触端子が用いられ、端子２５０、端子２７０、及び端子２８０には、上記端子のそれぞれに対応した、凹状の端子が用いられる。また、例えば、端子３４０、端子４４０、又は端子４５０が、ポゴピンと呼ばれる先端がばねで伸縮する可動型のコンタクトプローブが複数用いられて形成された端子である場合、端子２５０、端子２７０、及び端子２８０には、ポゴピンの数量に応じた、ポゴピンの先端が接触するパッド状の電極が用いられる。端子２５０、端子２７０、及び端子２８０が端末ケース２０から突出していない形状とすることで、デザイン性に優れた形状の端末ケース２０とすることが可能となる。
【００４２】
連結部２９０は、第２被装着部２６０の内側面から収容空間２１１に突出するように設けられている。連結部２９０は、端末１０が有する端子に挿入され、端末ケース２０と端末１０とを連結する。連結部２９０は、端末１０の端子の位置に対応した位置に配置されている。連結部２９０は、例えば、ユニバーサル・シリアル・バス（ＵＳＢ）プラグであり、端末１０が有する連結孔は、ＵＳＢジャックとすることができる。この場合、連結部２９０によって、コントローラ３０と端末１０との間で通信を行う。
【００４３】
また、連結部２９０として、例えば、ＵＳＢ  ＰＤ（ＵＳＢ  Ｐｏｗｅｒ  Ｄｅｌｉｖｅｒｙ）を用いることで、端末１０に電力を供給することができる。
【００４４】
＜１．３．コントローラ３０の外観構成例＞
続いて、コントローラ３０の構造について図６及び図７を参照して詳細に説明する。コントローラ３０は、左コントローラ３００、及び右コントローラ４００を有する。コントローラ３０は、先立って説明したように、左コントローラ３００と右コントローラ４００とが分離した構造である。以下に、左コントローラ３００及び右コントローラ４００を詳細に説明する。
【００４５】
＜１．３．１．左コントローラ３００の外観構成例＞
まず、左コントローラ３００について説明する。左コントローラ３００は、左側に下方に向かって延長した部分を有し、かかる部分は、背面方向に湾曲した形状となっている。左コントローラ３００は、正面及び上面に操作部３１０を有し、背面にボタン３２０を有し、左コントローラ３００の右側領域に端末ケース２０を装着する装着部３３０を有している。なお、装着部３３０は、本開示に係る第１装着部の一例である。
【００４６】
操作部３１０は、図６の正面図に示したように、ボタン３１１、ボタン３１２、ボタン３１３、ボタン３１４、ボタン３１５、ボタン３１６、及びスティック３１７を有している。
【００４７】
ボタン３１１、ボタン３１２、ボタン３１３、及びボタン３１４は、端末１０で実行される各種プログラムに応じた指示をユーザが行うために使用される。ボタン３１１、ボタン３１２、ボタン３１３、及びボタン３１４は、例えば、方向を入力するために使用されるが、方向の入力以外に使用されてもよい。なお、ボタン３１１、ボタン３１２、ボタン３１３、及びボタン３１４は、一体となって一つのボタンとなっていてもよい。
【００４８】
ボタン３１５は、左コントローラ３００の正面の右上領域に設けられる。ボタン３１５は、端末１０の画面に表示された画像を他の端末に送信するために使用される。例えば、ユーザがボタン３１５を押下することにより、例えば、端末１０に表示された画像又は動画を他のユーザが利用する他の端末に送信する。
【００４９】
ボタン３１６は、左コントローラ３００の正面の中央領域に設けられる。ボタン３１６は、端末１０を制御するボタンであり、ユーザがボタン３１６を押下することにより、端末１０の電源のオン又はオフの切り替え、端末１０において稼働中のアプリケーションの切り替え、端末１０の画面への状況に応じて操作可能な項目の表示などが行われる。
【００５０】
スティック３１７は、左コントローラ３００の正面の下部領域に設けられる。スティック３１７は、例えば、方向を入力することができ、前後方向に垂直な面の全ての方向に傾倒することができる。スティック３１７を傾倒することによって、傾倒の方向及び程度に応じた方向の入力を行うことができる。
【００５１】
また、操作部３１０は、図６の平面図に示したように、その上面にボタン３１８及びボタン３１９を有する。ボタン３１８は、左コントローラ３００の上面において、ボタン３１９より正面側に設けられている。
【００５２】
ボタン３１８及びボタン３１９は、端末１０で実行される各種プログラムに応じた指示をユーザが行うために使用される。
【００５３】
ボタン３２０は、図６の背面図に示したように、左コントローラ３００の背面に配置されている。ユーザによってボタン３２０が押下されることで、右側面図に示した可動爪部３３３が動く。これにより、端末ケース２０の掛止受部２４１に掛止された状態の可動爪部３３３は、掛止受部２４１から外れ、左コントローラ３００と端末ケース２０とは分離される。ボタン３２０は、本開示に係る動作ボタンの一例である。
【００５４】
装着部３３０は、装着部３３０の正面において右方向に延びている第１延出部３３１、及び装着部３３０の背面において右方向に延びている第２延出部３３２を有している。また、左コントローラ３００は、第１延出部３３１と第２延出部３３２とを連結する面において、可動爪部３３３、爪部３３４、位置決め部３３５、及び端子３４０を有している。可動爪部３３３、及び爪部３３４は、本開示に係る掛止片の一例である。
【００５５】
第１延出部３３１は、先立って説明したように、その左右方向の長さｄ３は、端末ケース２０の第１被装着部２４０における左右方向の長さｄ１以下である。また、第２延出部３３２の左右方向の長さｄ５は、第１延出部３３１の左右方向の長さｄ３より大きい。
【００５６】
第１延出部３３１と第２延出部３３２との間の空間は、右方向及び上下方向に開放されている。当該空間が上下方向に開放されているため、端末ケース２０の上下方向の長さが装着部３３０の上下方向の長さよりも長い場合にも、左コントローラ３００は、端末ケース２０に接続されることが可能となる。
【００５７】
可動爪部３３３は、第１被装着部２４０の掛止受部２４１に掛止されることが可能な形状であって、掛止受部２４１に対応した位置に設けられている。
【００５８】
爪部３３４は、第１被装着部２４０の掛止受部２４２に掛止されることが可能な形状であって、掛止受部２４２に対応した位置に設けられている。
【００５９】
位置決め部３３５は、第１被装着部２４０の位置決め部２４３と嵌合可能な形状であって、位置決め部２４３に対応した位置に設けられている。位置決め部３３５の形状は、位置決め部３３５と位置決め部２４３とが嵌合するように、位置決め部２４３に対応した形状である。例えば、図６に示した右側面図では、位置決め部３３５は、円形の凸部となっている。
【００６０】
端子３４０は、第１延出部３３１と第２延出部３３２とを連結する面において、端末ケース２０の端子２５０と対応する位置に備えられ、端子３４０の形状は、端子２５０に対応する形状である。端子３４０は、例えば、ポゴピンが複数用いられて形成された端子である。ポゴピンは、入力装置の数量に応じて適宜変更される。
【００６１】
なお、左コントローラ３００は、振動装置、音声出力装置又は照明装置を備えてもよい。
【００６２】
＜１．３．２．右コントローラ４００の外観構成例＞
続いて、右コントローラ４００について説明する。右コントローラ４００は、右側に下方に向かって延長した部分を有し、かかる部分は、背面方向に湾曲した形状となっている。右コントローラ４００は、正面及び上面に操作部４１０を有し、背面にボタン４２０を有し、右コントローラ４００の右側領域に、端末ケース２０を装着する装着部４３０を有している。また、右コントローラ４００は、下面に音声出力部４６０及び電力供給部４７０を有している。なお、装着部４３０は、本開示の第２装着部の一例である。
【００６３】
操作部４１０は、図７の正面図に示したように、ボタン４１１、ボタン４１２、ボタン４１３、ボタン４１４、ボタン４１５、及びスティック４１６を有している。
【００６４】
ボタン４１１、ボタン４１２、ボタン４１３、及びボタン４１４は、端末１０で実行される各種プログラムに応じた指示をユーザが行うために使用される。ボタン４１１、ボタン４１２、ボタン４１３、又はボタン４１４によって、ユーザは、例えば、選択、決定、又はキャンセルなどの指示を入力する。なお、ボタン４１１、ボタン４１２、ボタン４１３、及びボタン４１４は、一体となって一つのボタンとなっていてもよい。
【００６５】
ボタン４１５は、右コントローラ４００の正面の右上領域に設けられる。ボタン４１５は、例えば、端末１０の設定を変更するため画面を表示するために使用される。例えば、ユーザがボタン４１５を押下することにより、例えば、端末１０は、設定画面を表示する。
【００６６】
スティック４１６は、右コントローラ４００の正面の下部領域に設けられる。スティック４１６は、スティック３１７と同様に、例えば、方向を入力することができ、前後方向に垂直な面の全ての方向に傾倒することができる。スティック４１６を傾倒することによって、傾倒の方向及び程度に応じた方向の入力を行うことができる。
【００６７】
また、操作部４１０は、図７の平面図に示したように、右コントローラ４００の上面にボタン４１７及びボタン４１８を有する。ボタン４１７は、右コントローラ４００の上面において、ボタン４１８より前方に設けられている。
【００６８】
ボタン４１７及びボタン４１８は、端末１０で実行される各種プログラムに応じた指示をユーザが行うために使用される。
【００６９】
ボタン４２０は、図７の背面図に示したように、右コントローラ４００の背面に配置されている。ユーザによってボタン４２０が押下されることで、後述する可動爪部４３３が前方に動く。これにより、端末ケース２０の第２被装着部２６０における掛止受部２６１に掛止された状態の可動爪部４３３は、掛止受部２６１から外れ、右コントローラ４００と端末ケース２０とは分離される。ボタン４２０は、本開示に係る動作ボタンの一例である。
【００７０】
装着部４３０は、図７の平面図又は底面図に示したように、装着部４３０の正面において左方向に延びている第３延出部４３１、及び装着部４３０の背面において左方向に延びている第４延出部４３２を有している。また、右コントローラ４００は、図７の左側面図に示したように、第３延出部４３１と第４延出部４３２とを連結する面において、可動爪部４３３、爪部４３４、位置決め部４３５、端子４４０、及び端子４５０を有している。可動爪部４３３、及び爪部４３４は、本開示に係る掛止片の一例である。
【００７１】
第３延出部４３１は、先立って説明したように、その左右方向の長さｄ４は、端末ケース２０の第２被装着部２６０における左右方向の長さｄ２以下である。また、第４延出部４３２の左右方向の長さｄ６は、第３延出部４３１の左右方向の長さｄ４より大きい。
【００７２】
第３延出部４３１と第４延出部４３２との間の空間は、左方向及び上下方向に開放されている。当該空間が上下方向に開放されているため、端末ケース２０の上下方向の長さが装着部４３０の上下方向の長さよりも長い場合にも、右コントローラ４００は、端末ケース２０に接続されることが可能となる。
【００７３】
可動爪部４３３は、第２被装着部２６０の掛止受部２６１に掛止されることが可能な形状であって、掛止受部２６１に対応した位置に設けられている。
【００７４】
爪部４３４は、第２被装着部２６０の掛止受部２６２に掛止されることが可能な形状であって、掛止受部２６２に対応した位置に設けられている。
【００７５】
位置決め部４３５は、第２被装着部２６０の位置決め部２６３と嵌合可能な形状であって、位置決め部２６３に対応した位置に設けられている。位置決め部４３５の形状は、位置決め部４３５と位置決め部２６３とが嵌合するように、位置決め部２６３に対応した形状である。例えば、図７の左側面図では、位置決め部４３５は、円形の凸部となっている。
【００７６】
端子４４０は、第３延出部４３１と第４延出部４３２とを連結する面において、端末ケース２０の端子２７０と対応する位置に備えられ、端子４４０の形状は、端子２７０に対応する形状である。端子４４０は、例えば、ポゴピンが複数用いられて形成された端子である。ポゴピンは、入力装置の数量に応じて適宜変更される。
【００７７】
端子４５０は、第３延出部４３１と第４延出部４３２とを連結する面において、端末ケース２０の端子２８０と対応する位置に備えられ、端子４５０の形状は、端子２８０に対応する形状である。端子４５０は、例えば、ポゴピンが複数用いられて形成された端子である。ポゴピンは、入力装置の数量に応じて適宜変更される。
【００７８】
なお、右コントローラ４００は、振動装置又は照明装置を備えてもよい。
【００７９】
音声出力部４６０は、図７の底面図に示したように、右コントローラ４００の下部に設けられる。音声出力部４６０は、例えばオーディオジャックであり、音声出力装置、例えば、イヤフォン又はヘッドフォンのプラグが挿入される。音声出力部４６０に、例えば、有線のイヤフォンが接続され、ユーザが当該イヤフォンを装着して使用する場合、音声出力部４６０が右コントローラ４００の下部に設けられることで、イヤフォンのケーブルが端末１０のディスプレイを目視するユーザの視線上に位置することが抑制される。また、音声出力部４６０が右コントローラ４００の下部に設けられることで、イヤフォンのケーブルがコントローラ３０に備えられる各種のボタン付近に位置することを抑制される。その結果、ユーザは、コントローラ３０の操作をより快適に行うことが可能となる。
【００８０】
電力供給部４７０は、図７の底面図に示したように、電力供給部７１３の下部であって、音声出力部４６０より後方に設けられる。電力供給部４７０は、外部電源と接続される。電力供給部４７０が外部電源と有線で接続される場合、上記同様に、電力供給部４７０と外部電源とを接続するケーブルによって、ユーザの操作が阻害されることを抑制することが可能となる。
【００８１】
＜２．情報処理装置１の装着例＞
続いて、図３〜図７を参照して、情報処理装置１の装着例について説明する。まず、端末１０と端末ケース２０との接続について説明する。端末１０は、図３に示した端末ケース２０の収容空間２１１に収容される。端末１０は、図４に示したように、端末ケース２０の蓋部材２２０が収容部材２１０から取り外された状態で、切り欠き２１２が配置された方向から収容空間２１１に挿入される。連結部２９０は、挿入された端末１０の端子に挿入される。その後、蓋部材２２０に備えられた掛止部２２１が収容部材２１０の掛止受部２１３に掛止されることで、蓋部材２２０は、収容部材２１０に固定される。収容空間に収容された端末１０は、収容部材２１０と、蓋部材２２０と、連結部２９０とによって、端末ケース２０に取り外し可能に固定される。また、開口２３０の面積は、端末１０の面積より小さいため、端末１０は、開口２３０を通じて端末ケース２０から脱離することが防止される。蓋部材２２０は、掛止部２２１と掛止受部２１３との掛止を解除することで、収容部材２１０から取り外すことが可能である。これにより、端末１０を端末ケース２０から取り出すことが可能となる。
【００８２】
続いて、端末ケース２０とコントローラ３０との接続について説明する。端末ケース２０は、左コントローラ３００と右コントローラ４００とによって、挟み込まれるように装着される。
【００８３】
まず、図３及び図６を参照して、端末ケース２０と左コントローラ３００との接続について説明する。左コントローラ３００は、その装着部３３０が端末ケース２０の第１被装着部２４０に取り付けられることで端末ケース２０に装着される。詳細には、第１被装着部２４０が、第１延出部３３１と第２延出部３３２との間に、位置決め部２４３と位置決め部３３５とが嵌合するように挿入される。このとき、可動爪部３３３及び爪部３３４は、それぞれ掛止受部２４１及び掛止受部２４２に掛止される。また、端子２５０は、端子３４０と接触する。第１延出部３３１の左右方向の長さｄ３は、第１被装着部２４０の左右方向の長さｄ１よりも短いため、端末１０のディスプレイの一部が第１延出部３３１に覆われることなく、左コントローラ３００は、端末ケース２０に固定される。また、位置決め部２４３と位置決め部３３５とが嵌合するため、ユーザは、左コントローラ３００と端末ケース２０とを簡便に装着することが可能となる。また、第２延出部３３２の左右方向の長さｄ５が第１延出部３３１の左右方向の長さｄ３よりも長いため、ユーザの操作中に端末ケース２０及び左コントローラ３００に対してこれらを捻る力が加えられた場合に、端末ケース２０と左コントローラ３００とが分離することを防止することが可能となる。
【００８４】
端末ケース２０と左コントローラ３００とを分離する場合、ボタン３２０が押下されることで、可動爪部３３３が動いて可動爪部３３３と掛止受部２４１の掛止が解除される。可動爪部３３３と掛止受部２４１の掛止が解除された後に、爪部３３４と掛止受部２４２との掛止が解除されて、端末ケース２０と左コントローラ３００とが分離される。
【００８５】
次いで、図５及び図７を参照して、端末ケース２０と右コントローラ４００との接続について説明する。右コントローラ４００は、その装着部４３０が端末ケース２０の第２被装着部２６０に取り付けられることで端末ケース２０に装着される。詳細には、第２被装着部２６０が、第３延出部４３１と第４延出部４３２との間に、位置決め部２６３と位置決め部４３５とが嵌合するように挿入される。このとき、可動爪部４３３及び爪部４３４は、それぞれ掛止受部２６１及び掛止受部２６２に掛止される。また、端子２７０及び端子２８０は、それぞれ端子４４０及び端子４５０と接触する。第３延出部４３１の左右方向の長さｄ４は、第２被装着部２６０の左右方向の長さｄ２よりも短いため、端末１０のディスプレイの一部が第３延出部４３１に覆われることなく、右コントローラ４００は、端末ケース２０に固定される。また、位置決め部２６３と位置決め部４３５とが嵌合するため、ユーザは、右コントローラ４００と端末ケース２０とを簡便に装着することが可能となる。また、第４延出部４３２の左右方向の長さｄ６が第３延出部４３１の左右方向の長さｄ４よりも長いため、ユーザの操作中に端末ケース２０及び右コントローラ４００に対してこれらを捻る力が加えられた場合に、端末ケース２０と右コントローラ４００とが分離することを防止することが可能となる。
【００８６】
端末ケース２０と右コントローラ４００とを分離する場合、ボタン４２０が押下されることで、可動爪部４３３が動いて可動爪部４３３と掛止受部２６１の掛止が解除される。可動爪部４３３と掛止受部２６１の掛止が解除された後に、爪部４３４と掛止受部２６２との掛止が解除されて、端末ケース２０と右コントローラ４００とが分離される。
【００８７】
端末ケース２０にコントローラ３０が装着されることで、ユーザは、より安定して端末１０が装着された情報処理装置を把持することが可能となる。
【００８８】
ここまで、端末ケース２０とコントローラ３０との接続例について説明した。なお、コントローラ３０は、左コントローラ３００と右コントローラ４００とが一体となった構造であってもよい。具体的には、コントローラ３０は、左コントローラ３００の第２延出部３３２と、右コントローラ４００の第４延出部４３２とが、一体となったものとしてもよい。
【００８９】
＜３．情報処理装置１の機能構成例＞
続いて、図８及び図９を参照して、本実施形態に係る情報処理装置１の機能構成の一例を説明する。図８は、本開示の一実施形態に係る情報処理装置が適用される情報処理システムのブロック図である。図９は、同実施形態に係る情報処理装置のブロック図である。情報処理装置１は、図８に示したように、端末１０と通信を行う。
【００９０】
端末ケース２０は、図９に示したように、通信部５１０、及び電力供給部５２０を有する。
【００９１】
通信部５１０は、端末１０、及びコントローラ３０と各種信号の送受信を行う。端子２５０、端子２７０、端子２８０連結部２９０、及び端末ケース２０の背面の内部に配置された配線（図示せず。）が通信部５１０に相当する。通信部５１０は、本開示に係る通信部の一例に係るものである。
【００９２】
電力供給部５２０は、コントローラ３０から供給された電力を端末１０に供給する。電力供給部５２０は、連結部２９０に実装される。
【００９３】
左コントローラ３００は、入力部６１０、出力部６２０、及び通信部６３０を有する。
【００９４】
入力部６１０は、端末１０で実行される各種プログラムに応じた指示を入力する。ボタン３１１、ボタン３１２、ボタン３１３、ボタン３１４、ボタン３１５、ボタン３１６、スティック３１７、ボタン３１８、及びボタン３１９が入力部６１０に相当する。
【００９５】
出力部６２０は、端末１０から出力された信号を変換して出力する。出力部６２０は、例えば、振動装置、音声出力装置又は照明装置等であり、端末１０から出力された信号に応じて、振動又は照明する。
【００９６】
通信部６３０は、端末ケース２０と各種信号の送受信を行う。端子３４０が通信部６３０に相当する。
【００９７】
右コントローラ４００は、入力部７１０、出力部７２０、電力供給部７３０、制御部７４０、記憶部７５０、及び通信部７６０を有する。
【００９８】
入力部７１０は、端末１０で実行される各種プログラムに応じた指示を入力する。ボタン４１１、ボタン４１２、ボタン４１３、ボタン４１４、ボタン４１５、スティック４１６、ボタン４１７、及びボタン４１８が入力部７１０に相当する。
【００９９】
出力部７２０は、端末１０から出力された信号を変換して出力する。出力部７２０は、例えば、振動装置、音声出力装置又は照明装置等であり、端末１０から出力された信号に応じて、振動又は照明する。音声出力部４６０は、出力部７２０に相当する。
【０１００】
電力供給部７３０では、外部の電源から入力された電力を端末ケース２０へ供給する。端子４５０、及び電力供給部４７０が電力供給部７３０に相当する。
【０１０１】
制御部７４０は、送受信される信号の制御、及び外部電源から供給される電力の制御を行う。制御部７４０は、入力制御部７４１、出力制御部７４２、及び電力制御部７４３を有する。
【０１０２】
入力制御部７４１は、入力部６１０、又は入力部７１０で入力された信号を制御する。
【０１０３】
出力制御部７４２は、端末１０から送信された信号に応じて、出力部６２０又は出力部７２０を制御する。
【０１０４】
電力制御部７４３は、電力供給部７３０から供給された電力を制御する。電力制御部７４３は、例えば、ＵＳＢ  ＰＤ  コントローラである。
【０１０５】
記憶部７５０は、コントローラ３０が各種の処理を実行する際に利用する各種のプログラムやデータベース等を適宜記録している。また、記憶部７５０は、コントローラ３０が各種処理を行う際に、保存する必要が生じた様々なパラメータや処理の途中経過等が適宜記録されてもよい。
【０１０６】
通信部７６０は、端末ケース２０と各種情報の送受信を行う。端子４４０及び端子４５０が通信部７６０に相当する。
【０１０７】
ここまで、情報処理装置１の機能構成について詳細に説明した。
【０１０８】
＜４．情報処理装置１の動作例＞
続いて、情報処理装置１の動作について説明する。ユーザによって、左コントローラ３００の各種ボタンもしくはスティック３１７、又は右コントローラ４００の各種ボタンもしくはスティック４１６が操作され、左コントローラ３００又は右コントローラ４００に信号が入力される。
【０１０９】
左コントローラ３００から入力された信号は、端子３４０、端末ケース２０に備えられた、端子２５０、配線、端子２７０、及び右コントローラ４００の端子４４０を通じて右コントローラ４００に送信される。右コントローラ４００が受信した信号は、端子４５０、端末ケース２０の端子２８０、及び連結部２９０を通じて端末１０に送信される。端末１０は、受信した信号に応じてディスプレイ等の出力部に出力を行う。
【０１１０】
右コントローラ４００から入力された信号は、端子４５０、端末ケース２０の端子２８０、及び連結部２９０を通じて端末１０に送信される。端末１０は、受信した信号に応じてディスプレイ等の出力部に出力を行う。
【０１１１】
また、情報処理装置１は、端末１０から信号を受信し、コントローラ３０は、当該信号に基づいた出力を行う。
【０１１２】
端末１０は、端末ケース２０に備えられる、連結部２９０、端子２８０、及び右コントローラ４００に備えられる端子４５０を通じて、右コントローラ４００に信号を送信する。右コントローラ４００は、受信した信号に基づいて、例えば、音声出力部４６０に接続された音声出力装置から音声を出力させる。また、右コントローラ４００が振動装置又は照明装置を備える場合、これらの装置に受信した信号に基づいた出力をさせてもよい。
【０１１３】
また、右コントローラ４００は、端子４４０、端末ケース２０に備えられる、端子２７０、配線、端子２５０、及び左コントローラ３００に備えられる端子３４０を通じて、左コントローラ３００に受信した信号を送信する。左コントローラ３００は、振動装置又は照明装置を備える場合、受信した信号に基づいて、これらの装置に受信した信号に基づいた出力をさせる。
【０１１４】
なお、本実施形態では、端末１０と端末ケース２０との間の通信は、連結部２９０を通じた有線で行われるが、有線での通信に限られず、無線によって通信が行われてもよい。
【０１１５】
＜５．ハードウェア構成例＞
以上、本開示に係る実施形態について説明した。上述した情報処理は、ソフトウェアと、以下に説明する情報処理システム又は情報処理装置のハードウェアとの協働により実現される。
【０１１６】
図１０は、本開示の一実施形態に係る情報処理装置のハードウェア構成例を示すブロック図である。図１０を参照すると、本実施形態に係る情報処理装置は、例えば、ＣＰＵ９０１、ＲＯＭ９０２、ＲＡＭ９０３、ホストバス９０４と、ブリッジ９０５、外部バス９０６、インタフェース９０７、入力部９０８、出力部９０９、記憶部９１０、及び接続ポート９１１を有する。なお、ここで示すハードウェア構成は一例であり、構成要素の一部が省略されてもよい。また、ここで示される構成要素以外の構成要素をさらに含んでもよい。
【０１１７】
ＣＰＵ９０１は、例えば、演算処理装置又は制御装置として機能し、ＲＯＭ９０２、ＲＡＭ９０３、記憶部９１０に記録された各種プログラムに基づいて各構成要素の動作全般又はその一部を制御する。ＣＰＵ９０１は、制御部７４０を形成しうる。
【０１１８】
ＲＯＭ９０２は、ＣＰＵ９０１に読み込まれるプログラムや演算に用いるデータ等を格納する手段である。ＲＡＭ９０３には、例えば、ＣＰＵ９０１に読み込まれるプログラムや、そのプログラムを実行する際に適宜変化する各種パラメータ等が一時的又は永続的に格納される。
【０１１９】
ＣＰＵ９０１、ＲＯＭ９０２、ＲＡＭ９０３は、例えば、高速なデータ伝送が可能なホストバス９０４を介して相互に接続される。一方、ホストバス９０４は、例えば、ブリッジ９０５を介して比較的データ伝送速度が低速な外部バス９０６に接続される。また、外部バス９０６は、インタフェース９０７を介して種々の構成要素と接続される。
【０１２０】
入力部９０８には、左コントローラ３００に備えられた各種ボタン、スティック３１７、右コントローラ４００に備えられた各種ボタン、又はスティック４１６が適用される。入力部９０８には、音声入力装置が適用されてもよい。
【０１２１】
出力部９０９は、ユーザに対して視覚的、聴覚的又は聴覚的な情報を出力することが可能な装置である。出力部９０９は、音声出力部４６０に相当する。また、出力部９０９は、振動装置、音声出力装置又は照明装置であってもよく、例えば、オーディオジャックであってもよい。
【０１２２】
記憶部９１０は、各種のデータを格納するための装置である。記憶部９１０としては、例えば、磁気記憶デバイス、半導体記憶デバイス、光記憶デバイス、又は光磁気記憶デバイス等が用いられる。記憶部９１０は、記憶部７５０に相当する。
【０１２３】
接続ポート９１１は、外部接続機器を接続するためのポートであり、例えば、ＵＳＢ（Ｕｎｉｖｅｒｓａｌ  Ｓｅｒｉａｌ  Ｂｕｓ）ポート、オーディオ端子である。接続ポート９１１は、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）、又はＲＳ−２３２Ｃポート等であってもよい。
【０１２４】
＜６．結び＞
以上説明したように、本開示によれば、ケースを取り外すことなく、外部装置を装着可能な端末ケースを提供することが可能となる。
【０１２５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２６】
また、本明細書に記載された効果は、あくまで説明的または例示的なものであって限定的ではない。つまり、本開示に係る技術は、上記の効果とともに、又は、上記の効果に代えて、本明細書の記載から当業者には明らかな他の効果を奏しうる。
【０１２７】
なお、以下のような構成も本開示の技術的範囲に属する。
（１）
少なくとも一つの面に開口を有し、端末が収容される収容部と、
ユーザによって把持される把持部を備える把持装置が装着される被装着部と、
前記端末と前記把持装置との間で通信を行う通信部と、を備える端末ケース。
（２）
前記被装着部は、前記端末ケースの一側、及び前記端末ケースの前記一側とは逆側である他側に設けられ、前記把持装置に備えられる２の把持部のそれぞれは、前記一側の前記被装着部又は前記他側の前記被装着部の少なくともいずれかに装着される、（１）に記載の端末ケース。
（３）
前記一側から前記他側に向かう方向において、前記被装着部の前記開口を有する面側の面の長さは、前記把持装置に備えられて前記被装着部を装着する装着部の前記開口を有する面側の面の長さ以上である、（２）に記載の端末ケース。
（４）
前記被装着部は、前記把持装置に備えられる複数の掛止片が掛止される複数の掛止受部を有する、（１）〜（３）のいずれか１項に記載の端末ケース。
（５）
前記被装着部は、前記端末を連結する連結部を備える、（１）〜（４）のいずれか１項に記載の端末ケース。
（６）
前記連結部は、前記端末と前記把持装置との間の信号の送受信を行う、（５）に記載の端末ケース。
（７）
前記連結部は、電力を前記端末へ供給する、（５）又は（６）に記載の端末ケース。
（８）
ユーザによって把持される第１把持部と、
前記ユーザによって把持され、前記第１把持部と異なる第２把持部と、
を備え、
前記第１把持部及び前記第２把持部は、端末を収容する端末ケースを装着する装着部と、前記端末ケースを介して前記端末と通信を行う通信部と、を備える、把持装置。
（９）
前記第１把持部に備えられた第１装着部は、前記端末ケースの一側に備えられた第１被装着部を装着し、
前記第２把持部に備えられた第２装着部は、前記端末ケースの前記一側とは逆側である他側に備えられた第２被装着部を装着する、（８）に記載の把持装置。
（１０）
前記端末ケースは、開口を有する面を備え、
前記第１装着部が前記第１被装着部を装着し、前記第２装着部が前記第２被装着部を装着したときに、
前記第１装着部は、前記端末ケースの前記開口を有する面側に位置する第１延出部と、前記開口を有する面とは逆の面側に位置する第２延出部と、を備え、
前記第２装着部は、前記端末ケースの前記開口を有する面側に位置する第３延出部と、前記開口を有する面とは逆の面側に位置する第４延出部と、を備える、（９）に記載の把持装置。
（１１）
前記第１延出部は、前記第３延出部が位置する方向に、前記端末ケースの前記開口を有する面に沿って延出しており、
前記第２延出部は、前記第４延出部が位置する方向に、前記端末ケースの前記開口を有する面とは逆側の面に沿って延出しており、
前記第３延出部は、前記第１延出部が位置する方向に、前記端末ケースの前記開口を有する面に沿って延出しており、
前記第４延出部は、前記第２延出部が位置する方向に、前記端末ケースの前記開口を有する面とは逆側の面に沿って延出している、（１０）に記載の把持装置。
（１２）
前記第１延出部の延出方向における前記第１延出部の長さは、当該延出方向における前記第１被装着部の長さ以下であり、
前記第３延出部の延出方向における前記第３延出部の長さは、当該延出方向における前記第２被装着部の長さ以下である、（１１）に記載の把持装置。
（１３）
前記端末ケースの前記開口を有する面と、前記端末ケースの前記開口を有する面とは逆の面とは平行であり、
前記第２延出部の延出方向における前記第２延出部の長さは、前記第１延出部の延出方向における前記第１延出部の長さよりも長い、（１１）又は（１２）に記載の把持装置。
（１４）
前記装着部は、前記端末ケースに備えられる掛止受部に掛止される複数の掛止片を有する、（８）〜（１３）のいずれか１項に記載の把持装置。
（１５）
前記掛止片を動作させるための動作ボタンを更に備え、
複数の前記掛止片のうちの第１掛止片は、前記動作ボタンによって可動する、（１４）に記載の把持装置。
（１６）
前記ユーザによって用いられて前記端末を操作する操作部を更に有する、（８）〜（１５）のいずれか１項に記載の把持装置。
（１７）
前記端末ケースを介して電力を前記端末へ供給する電力供給部を更に備える、（８）〜（１６）のいずれか１項に記載の把持装置。
（１８）
端末を収容する端末ケースと、ユーザによって把持される把持装置と、を備え、
前記端末ケースは、
少なくとも一つの面に開口を有し、端末が収容される収容部と、
前記ユーザによって把持される把持部を備える把持装置が装着される被装着部と、
前記端末と前記把持装置との間で通信を行う通信部と、
を備え、
前記把持装置は、
前記ユーザによって把持される第１把持部と、
前記ユーザによって把持され、前記第１把持部と異なる第２把持部と、
を備え、
前記第１把持部及び前記第２把持部は、端末を収容する端末ケースを装着する装着部と、前記端末ケースを介して前記端末と通信を行う通信部と、を備える、情報処理装置。
【０１２８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２９】
例えば、上記実施形態では、右コントローラに制御部が備えられるとしたが、本技術はかかる例に限定されない。例えば、左コントローラに制御部が備えられてもよいし、端末ケースに制御部が備えられてもよい。
【０１３０】
また、上記実施形態では、収容部材と蓋部材とは掛止されることで取り付けられる場合を説明したが、本技術は、かかる例に限定されず、収容部材と蓋部材とが取り外し可能に取り付けられればよい。
【０１３１】
また、上記実施形態では、端末ケースとコントローラとは掛止されることで取り付けられる場合を説明したが、本技術は、かかる例に限定されず、本技術が使用される際に安定した装着性を有しつつ、端末ケースとコントローラとが取り外し可能に取り付けられればよい。
【符号の説明】
【０１３２】
１  情報処理装置
１０  端末
２０  端末ケース
３０  コントローラ
２１０  収容部材
２１１  収容空間
２１２  切り欠き
２１３  掛止受部
２１４  レンズ孔
２１５  照明孔
２２０  蓋部材
２２１  掛止部
２３０  開口
２４０  第１被装着部
２４１、２４２、２６１、２６２  掛止受部
２４３、２６３、３３５、４３５  位置決め部
２５０、２７０、２８０、３４０、４４０、４５０  端子
２６０  第２被装着部
２９０  連結部
３００  左コントローラ
３２０、４２０  ボタン
３３０、４３０  装着部
３３１  第１延出部
３３２  第２延出部
３３３、４３３  可動爪部
３３４、４３４  爪部
４００  右コントローラ
４３１  第３延出部
４３２  第４延出部
４６０  音声出力部
４７０  電力供給部
【図１】
2020090050.tif 000003
【図２】
2020090050.tif 000004
【図３】
2020090050.tif 000005
【図４】
2020090050.tif 000006
【図５】
2020090050.tif 000007
【図６】
2020090050.tif 000008
【図７】
2020090050.tif 000009
【図８】
2020090050.tif 000010
【図９】
2020090050.tif 000011
【図１０】
2020090050.tif 000012
【国際調査報告】
2020090050.tif 000013
2020090050.tif 000014
2020090050.tif 000015
2020090050.tif 000016